(57)【特許請求の範囲】
【請求項１】
中央側に対して端側が裏面向きに曲がる曲部を有する透光性パネルと、
前記透光性パネルの裏面に装着され、前記透光性パネルの前記中央側及び前記曲部とを覆い、透明電極または前記透明電極に電気的に接続される配線を有するタッチパネルと、
を具え、
前記タッチパネルは、前記透光性パネルの前記曲部と対向する曲げ領域を有し、前記透明電極および／または前記配線は、その少なくとも一部が、前記曲げ領域の曲がり方向に対して傾斜した傾斜配線部を具えており、
前記タッチパネルは、透明基板をさらに有し、
前記透明電極及び配線が、前記透明基板裏面に配設される、
電子機器。
【請求項２】
前記曲部は、前記透光性パネルの対向する２つの端付近に設けられる、
請求項１に記載の電子機器。
【請求項３】
前記傾斜配線部は、曲げ領域に対して４５°以上、７０°以下の角度で交差する、
請求項１又は請求項２に記載の電子機器。
【発明の詳細な説明】
【技術分野】
【０００１】
本発明は、端縁に曲部を有する透光性パネルにタッチパネルを装着してなる電子機器に関するものである。
【背景技術】
【０００２】
携帯電話機やスマートフォンの如き電子機器では、タッチパネルや表示部と、これらを保護するガラスなどの透光性パネルをケーシングに装着して構成される。
【０００３】
タッチパネルとして静電容量式のものが提案されている。このタッチパネルは、例えば、特許文献１に示すように、透光性パネル側から見て、第１透明電極が上面に形成されたＰＥＴの如き第１透明基板と、第２透明電極が上面に形成されたＰＥＴの如き第２透明基板を粘着シートによって接着して構成され、第１透明電極側を透光性パネルに接着している。
【０００４】
また、透明基板には、透明電極の外周に透明電極からの入力信号を引き出す引出配線が配設される。
【先行技術文献】
【特許文献】
【０００５】
【特許文献１】特開２０１１−１７０５１１号公報
【発明の概要】
【発明が解決しようとする課題】
【０００６】
近年、透光性パネルの端縁をケーシング側に曲げた曲部を有する透光性パネルが提案されている。このような透光性パネルは、操作の有効面積を大きくするために、タッチパネルが透光性パネルの曲部の裏面側まで装着することが望まれる。しかしながら、特許文献１の如き構成のタッチパネルを曲部に沿うよう粘着シートによって貼着すると、タッチパネルが曲げられる結果、タッチパネル内の透明電極または引出配線が断線してしまうことがある。
【０００７】
本発明の目的は、曲部を有する透光性パネルへの装着に適したタッチパネルを具える電子機器を提供することである。
【課題を解決するための手段】
【０００８】
本発明の一実施形態に係る電子機器は、
中央側に対して端側が裏面向きに曲がる曲部を有する透光性パネルと、
前記透光性パネルの裏面に装着され、前記透光性パネルの前記中央側及び前記曲部とを覆い、透明電極または前記透明電極に電気的に接続される配線を有するタッチパネルと、
を具え、
前記タッチパネルは、前記透光性パネルの前記曲部と対向する曲げ領域を有し、前記透明電極および／または前記配線は、その少なくとも一部が、前記曲げ領域の曲がり方向に対して傾斜した傾斜配線部を具える。
【発明の効果】
【０００９】
本発明の電子機器によれば、タッチパネルの電極ユニットについて、透光性パネルの曲部と対向する透明電極および／または配線の断線を抑えることができる。
【図面の簡単な説明】
【００１０】
【図１】図１は、本発明の一実施形態に係る電子機器の平面図である。
【図２】図２は、透光性パネルを取り外した状態を示す電子機器の平面図である。
【図３】図３は、図１の線ＩＩＩ−ＩＩＩに沿う矢視断面図である。
【図４】図４は、図３の丸囲み部ＩＶの拡大断面図である。
【図５】図５は、本発明の一実施形態に係る電子機器の透光性パネルとタッチパネルを裏面側から見た分解斜視図である。
【図６】図６は、第１電極ユニットを裏面側から見た図である。
【図７】図７は、第２電極ユニットを裏面側から見た図である。
【図８】図８は、本発明の一実施形態に係る電子機器の透光性パネルとタッチパネルの曲部近傍をさらに拡大して示す断面図である。
【図９】図９は、図５の丸囲み部ＩＸの拡大断面図である。
【図１０】図１０は、本発明の異なる実施形態を示す第２電極ユニットの拡大図である。
【図１１】図１１は、実施例における曲げ角度の定義を説明する図である。
【発明を実施するための形態】
【００１１】
以下、本発明の一実施形態について、図面を参照しながら説明を行なう。
本発明を適用可能な電子機器１０として、スマートフォンなどの携帯電話機、タブレット型コンピュータ、ＰＤＡ（Personal Digital Assistant）、携帯型音楽プレーヤー、ノート型パソコン、ゲーム機、腕などに装着するウェアラブルタイプの電子機器などを例示することができる。例えば、画面に情報を表示でき、その画面上でタッチ操作が可能な電子機器であればこれらに限定されるものではない。以下では、本発明をスマートフォンに適用した実施形態について説明する。
【００１２】
図１は、電子機器１０の一実施形態を示す正面図である。図に示すように、電子機器１０は、ケーシング２０の表面を透光性パネル５０によって覆って構成される。図２は、説明のため、電子機器１０から透光性パネル５０を取り外した状態を示している。
【００１３】
図３乃至図５に示すように、電子機器１０は、外部に露出している透光性パネル５０と、その裏面側に配置されたタッチパネル６０を含む。電子機器１０は、さらに表示部７０を含めることもできる。
【００１４】
透光性パネル５０は、光透過性のパネルであり、ガラスまたは樹脂から作製することができる。透光性パネル５０は、後述するタッチパネル６０または表示部７０の保護部材としての役目を有する。透光性パネル５０にユーザが触れることでタッチパネル６０の操作が行なわれ、また、表示部７０は、透光性パネル５０およびタッチパネル６０を通して視認される。透光性パネル５０としては、後述するように、曲部５２を有することができれば、他に、サファイアパネルなどの単結晶材料であってもよい。サファイアパネルとは、アルミナ（Ａｌ２Ｏ３）を主成分とする単結晶材料から構成されたパネルをいう。「主成分」とは、具体的には、５０質量％以上、好ましくは、７０質量％以上をいう。傷がよりつき難く、割れや欠け等をより確実に抑制する点で、透光性パネル５０を構成する材料としては、Ａｌ２Ｏ３純度が約９０％以上の単結晶が好ましい。サファイアパネル以外に透光性パネル５０として採用される単結晶材料には、例えば、ダイヤモンド、ジルコニア、チタニア、水晶、タンタル酸リチウム、酸化窒化アルミニウムなどが挙げられる。これらも、傷がよりつき難く、割れや欠け等をより確実に抑制する点で、純度が約９０％以上の単結晶が好ましい。
【００１５】
本発明において、透光性パネル５０は、図３及び図４に示すように、中央側の略矩形の平坦面５１から端側が下向きに曲げられた曲部５２を有する所謂曲面パネルである。なお、図３および４における「下向き」とは、例えば、ケーシング２０方向への向き、あるいは、透光性パネル５０の裏面方向への向きを意味する。曲部５２は、平面状のガラスや樹脂の薄板を曲げ加工して作製することができる。曲部５２は、図示の実施形態では、平坦面５１から略一定の曲率の略１／４円弧となるように形成している。本実施形態では、曲部５２は、略矩形の透光性パネル５０の長手方向に沿う対向する２つの端付近に形成しているが、長手方向と直交する端付近に形成することもでき、１つの端付近のみに形成することもできる。なお、透光性パネル５０として、中央付近に平坦面５１を有するパネルを一例として挙げているが、本発明においてはこれに限定されず、中央付近が曲面であってもよい。
【００１６】
図４に示すように、曲部５２は、より詳細には、平坦面５１から下向きに円弧状に曲がっており、その下縁５３は、平坦面５１と略平行となるように切断又は磨き加工を施している。また、透光性パネル５０の両側縁は、平坦面５１と略直交するエッジ部５４となるように、曲部５２の一部に切断又は磨き加工を施している。
【００１７】
透光性パネル５０の裏面には、図４及び図５に示すように、透光性パネル５０の平坦面５１と曲部５２とを覆うタッチパネル６０が配置される。タッチパネル６０は、透光性パネル５０の曲部５２に略沿って、図４中符号Ｃで示す曲げ領域にて曲げて配置される。
【００１８】
タッチパネル６０は、可撓性のものを採用でき、静電容量式や抵抗膜方式のものを例示することができる。そして、たとえば、透光性パネル５０に、貼り付け部材であるパネル側粘着シート８０により貼着することで装着される。パネル側粘着シート８０は、光学粘着シート（ＯＤＡ）の如き両面に接着剤が塗布された透明シートを採用することができる。粘着シートに代えて接着剤そのもので透光性パネル５０とタッチパネル６０を装着しても構わない。
【００１９】
図５は、透光性パネル５０およびタッチパネル６０の分解斜視図である。なお、表示部７０は省略している。
【００２０】
図５に示すように、タッチパネル６０は、透光性パネル５０の裏面にパネル側粘着シート８０を介して対向する第１電極ユニット６１と、この第１電極ユニット６１にユニット間粘着シート６４を介して対向する第２電極ユニット６２を含む構成とすることができる。なお、第１電極ユニット６１及び第２電極ユニット６２は、分解斜視図５において、透光性パネル５０の曲部５２と対向する曲げ領域Ｃにおいて既に曲げられた状態で示しているが、これら電極ユニット６１，６２は、タッチパネル６０を透光性パネル５０に取り付けたときに曲げ領域Ｃにて曲げられることとなる。
【００２１】
第１電極ユニット６１は、図５及び図６に示すように、可撓性の第１透明基板６１１に第１透明電極６１２及び第１透明電極６１２に電気的に接続された第１引出配線６１３を配設して構成される。
【００２２】
第２電極ユニット６２は、図５及び図７に示すように、可撓性の第２透明基板６２１に第２透明電極６２２及び第２透明電極６２２に電気的に接続された第２引出配線６２３を配設して構成される。
【００２３】
第１透明基板６１１及び第２透明基板６２１は、たとえば、ＰＥＴ（ポリエチレンテレフタレート）、ＰＣ（ポリカーボネート）、ＰＥ（ポリエチレン）、ＰＰ（ポリプロピレン）、ＰＶＣ（ポリ塩化ビニル）、ＰＳ（ポリスチレン）、ＰＭＭＡ（ポリメタクリル酸メチル樹脂）、ＣＯＣ（シクロオレフィン共重合体）などの透明な可撓性フィルムを採用できる。
【００２４】
透明基板６１１，６２１に配設される透明電極６１２，６２２は、ＩＴＯ（Indium Tin Oxide：酸化インジウムスズ）、ＩＺＯ（インジウム亜鉛酸化物）、ＡＺＯ（アルミニウム亜鉛酸化物）、ＡＴＯ（アンチモンスズ酸化物）、ＳｎＯ２（酸化第二スズ）、ＺｎＯ（酸化亜鉛）等を例示できる。透明電極６１２，６２２は、スパッタ法、蒸着法などの薄膜法や、転写法、液状材料の塗布、乾燥による塗布法を例示できる。
【００２５】
より詳細には、第１電極ユニット６１は、図６に示すように、長手方向をＸ軸、幅方向をＹ軸としたときに、Ｙ軸方向に沿って略平行に第１透明電極６１２を複数配設している。また、第２電極ユニット６２は、図７に示すように、Ｘ軸方向に沿って略平行、即ち、第１透明電極６１２と略直交するように第２透明電極６２２を複数配設している。
【００２６】
そして、上記第１透明電極６１２と第２透明電極６２２の配設された領域が、タッチパネル６０の操作可能領域となる。
【００２７】
透明電極６１２，６２２は、透明基板６１１，６２１の裏面、即ち、透光性パネル５０に装着したときに、タッチパネル６０から遠い側の面に形成する。これにより、後述するとおり、透光性パネル５０の曲部５２の形状に合わせてタッチパネル６０を曲げたときに、透明電極６１２，６２２が引っ張られることはないから、透明電極６１２，６２２の断線が防止される。
【００２８】
第１透明電極６１２、第２透明電極６２２は、夫々入力信号を引き出すための第１引出配線６１３、第２引出配線６２３に電気的に接続される。透明電極６１２，６２２は、図６及び図７に示すように、透明電極６１２，６２２と同じ面（図示では裏面側）に、透明電極６１２，６２２の外周、即ち、透明基板６１１，６２１の周縁を通るように配設される。引出配線６１３，６２３は、夫々図示ではＹ１方向の上部に接点部６１４，６２４を有しており、入力された信号を図示省略するフレキシブル基板等を通じて電子機器１０の制御部に送信する。
【００２９】
図６及び図７等では、引出配線６１３，６２３は幅広の１つの配線として示しているが、実際には、各透明電極６１２，６２２と電気的に接続される複数の配線である。
【００３０】
引出配線６１３，６２３は、Ａｇ（銀）、Ｃｒ（クロム）、Ａｌ（アルミニウム）、Ｍｏ（モリブデン）、Ｃｕ（銅）、Ａｕ（金）などの金属又はこれらを含む合金とすることができる。引出配線６１３，６２３も、透明電極６１２，６２２と同様の方法により透明基板６１１，６２１上に配設される。
【００３１】
より詳細には、第１引出配線６１３は、図６に示すように、接点部６１４からＸ軸方向両側に延び、第１透明電極６１２のＹ１側端部に電気的に接続される配線パターン６１５と、接点部６１４からＸ１方向に延び、第１透明基板６１１の側縁近傍をＹ２方向に通って、第１透明基板６１１のＹ２側端縁にてＸ２方向に引き回されて、第１透明電極６１２のＹ２側端部に電気的に接続される配線パターン６１６を含んでいる。
【００３２】
また、第２引出配線６２３は、図７に示すように、接点部６２４からＸ１方向に延び、第２透明基板６２１の側縁近傍からＹ２方向に延びて、第２透明電極６２２のＸ１側端部に電気的に接続される配線パターン６２５と、接点部６２４からＸ２方向に延び、第２透明基板６２１の側縁近傍からＹ２方向に延びて、第２透明電極６２２のＸ２側端部に電気的に接続される配線パターン６２６を含んでいる。
【００３３】
そして、第１引出配線６１３及び第２引出配線６２３の配線パターン６１５，６１６，６２５，６２６は、図６及び図７に示すように、透明基板６１１，６２１が透光性パネル５０の曲部５２と対向する曲げ領域Ｃにおいて、Ｘ軸及びＹ軸とは直交せず、傾斜するよう配設される。
【００３４】
より詳細には、第１引出配線６１３は、図６に示すように、配線パターン６１５の両端、配線パターン６１６がＸ軸方向からＹ軸方向、Ｙ軸方向からＸ軸方向に向けて曲げられる角部、そして、配線パターン６１６の終端が、夫々曲げ領域Ｃにおいて傾斜している。これら部位を第１傾斜配線部６１７と称する。
【００３５】
同様に、第２引出配線６２３は、図７に示すように、配線パターン６２５，６２６がＸ軸方向からＹ軸方向に向けて曲げられる角部、夫々曲げ領域Ｃにおいて傾斜している。これら部位を第２傾斜配線部６２７と称する。
【００３６】
引出配線６１３，６２３は、曲げ領域Ｃとの交差する部分を傾斜配線部６１７，６２７とすることで、後述するとおり、透光性パネル５０の曲部５２の形状に合わせてタッチパネル６０を曲げたときに、曲げ方向の力を分散させることができ、引出配線６１３，６２３の断線が防止される。
【００３７】
なお、引出配線６１３，６２３は、図６及び図７に示すように、傾斜配線部６１７，６２７の傾斜角度αが、Ｘ軸、即ち曲げ領域Ｃに対して４５°以上、７０°以下の角度で交差するように形成することが望ましい。傾斜角度αが４５°未満では傾斜させたことによる断線防止効果を十分に得られない場合があり、また、傾斜角度αが７０°を越えると、傾斜配線部６１７，６２７が長くなってしまい、また、その断線防止効果はほぼ飽和する場合がある。
【００３８】
上記のように形成された第１電極ユニット６１及び第２電極ユニット６２は、ユニット間粘着シート６４により貼着され、タッチパネル６０が構成される。なお、ユニット間粘着シート６４は、光学粘着シート（ＯＤＡ）の如き両面に接着剤が塗布された透明シートを採用することができる。粘着シートに代えて接着剤そのもので第１電極ユニット６１と第２電極ユニット６２を装着しても構わない。
【００３９】
さらに、タッチパネル６０は、第２電極ユニット６２の裏面側には、第２電極ユニット６２が露出することを避けるために、第２電極ユニット６２の裏面に透明基板や透明フィルムなどを接着等することもできる。
【００４０】
タッチパネル６０は、図４及び図５に示すように、パネル側粘着シート８０によって透光性パネル５０の裏面に貼着される。
【００４１】
このとき、タッチパネル６０は、曲げ領域Ｃにて、拡大図８に示すように、透光性パネル５０の曲部５２の形状に沿って曲げられる。
【００４２】
このとき、第１電極ユニット６１及び第２電極ユニット６２の透明電極６１２，６２２も曲げられる。本発明の一実施形態では、透明電極６１２，６２２を透明基板６１１，６２１の裏面側に配設しているから、透明電極６１２，６２２には、曲げ領域Ｃにて、図８中矢印Ｐで示す縮み方向の力が作用する。このため、透明電極６１２，６２２の断線は防止される。言い換えれば、透明基板６１１，６２１の表面側に透明電極６１２，６２２を配置した場合には、曲げ領域Ｃにて伸び方向の力が作用して、透明電極６１２，６２２が引っ張られて断線してしまう虞があるが、本発明では、これとは逆方向の縮み方向の力が作用し、引っ張られることはないから、断線を防止できる利点がある。
【００４３】
また、タッチパネル６０が曲げ領域Ｃにて曲げられたときに、第１電極ユニット６１及び第２電極ユニット６２の引出配線６１３，６２３も曲げられる。本発明では、引出配線６１３，６２３を透明基板６１１，６２１の裏面側に配設しているから、引出配線６１３，６２３には、曲げ領域Ｃにて、図８中矢印Ｐで示す縮み方向の力が作用する。このため、透明電極６１２，６２２と同様、引出配線６１３，６２３の断線は防止される。
【００４４】
さらに、引出配線６１３，６２３は、曲げ領域Ｃと交差する部分が傾斜した傾斜配線部６１７，６２７となっている。これにより、タッチパネル６０が曲げ領域Ｃにて曲げられたときに、傾斜配線部６１７，６２７は、図９に示すように、曲げ領域Ｃに対して螺旋状に侵入するから、曲部５２に対して直交して侵入する場合に比して、曲げ方向の力を分散させることができる。その結果、引出配線６１３，６２３の断線を防止することができる。
【００４５】
上記傾斜配線部６１７，６２７の断線防止効果は、引出配線６１３，６２３を透明基板６１１，６２１の表面側に配設した場合についても得ることができる。
【００４６】
なお、タッチパネル６０を透光性パネル５０に接着するパネル側粘着シート８０は、図４に示すように、タッチパネル６０の全面を覆うのではなく、その幅長さが透光性パネル５０の平坦面５１の幅と略一致するよう短く構成することが望ましい。
【００４７】
上記のように、パネル側粘着シート８０の幅長さを短くすることで、透光性パネル５０の曲部５２及びタッチパネル６０の曲げ領域Ｃには、粘着シート８０が配置されないこととなり、タッチパネル６０の両側は図４に示すように、粘着シート８０からはみ出た部分が、その可撓性により曲部５２に完全には倣わず、緩やかにカーブしながら、端部が曲部５２に当接することとなる。すなわち、タッチパネル６０は、透光性パネル５０に対して、平坦面５１よりも曲部５２側が接近した構成となる。これにより、タッチパネル６０は、透光性パネル５０の曲部５２と対向する面の曲率を、粘着シート８０の厚さ分だけ、透光性パネル５０の曲部５２の裏面側曲率よりも小さくすることができ、タッチパネル６０が小さな曲率半径で曲げられることによる透明電極６１２，６２２や引出配線６１３，６２３の断線を抑えることができる。
【００４８】
また、粘着シート８０は、透光性パネル５０の平坦面５１のみに配置すればよいから、曲部５２にまで貼着する場合に比して、粘着シート８０の貼着作業を簡便にすることができる利点もある。
【００４９】
タッチパネル６０の裏面には、図４に示すように、表示部７０が配置される。表示部７０は、液晶表示パネルを採用でき、その表示面がタッチパネル６０側を向くように配置される。
【００５０】
なお、表示部７０とタッチパネル６０との間には、図４に示すように光学弾性樹脂（ＳＶＲ）８６を介在させることができる。光学弾性樹脂を表示部７０とタッチパネル６０との間に配置することで、これらの間のエアギャップをなくすことができ、表示部７０の視認性やコントラストを高めることができる。
【００５１】
上記した透光性パネル５０は、タッチパネル６０及び表示部７０を含むようにケーシング２０に装着され、電子機器１０が構成される。なお、本発明における電子機器として、曲部を有する透光性パネル５０を２つ有し、その下にタッチパネルをそれぞれ設けた電子機器にも適用可能である。また、他に、円柱タイプ、楕円柱タイプの電子機器であって、その側面全周が中空の材料で形成され、その中空の内壁にタッチパネルが形成された電子機器にも適用可能である。
【００５２】
ケーシング２０は、図１及び図２に示すように、前面側に透光性パネル５０が取り付けられており、内部に電子機器１０の制御等を行なう制御基板、バッテリ、メモリカード、ＳＩＭ（Subscriber Identity Module）カード、その他通信、通話等に必要な電子部品１２が収容される。
【００５３】
たとえば、図３及び図４に示すように、ケーシング２０は、開口２２の形成されたインナーシャーシ２１と、インナーシャーシ２１の背面を覆うバックシャーシ２４を具える構成とすることができるが、本発明はこれに限定されない。バックシャーシ２４は、インナーシャーシ２１に着脱可能とし、バッテリ、メモリカード、ＳＩＭカード等の装着、交換等を行なうことができるようにしてもよい。
【００５４】
そして、透光性パネル５０は、インナーシャーシ２１に取り付けられる。より詳細には、透光性パネル５０は、インナーシャーシ２１に形成された開口２２に表示部７０が嵌まり、透光性パネル５０の曲部５２の先端が、インナーシャーシ２１に形成された設置面となる凹条３１に嵌ることで、インナーシャーシ２１に装着される。なお、設置面は、凹条３１に限定されず、平坦なもの、凸形状のものであってもよい。
【００５５】
凹条３１には、図４に示すように、エポキシ樹脂など熱硬化性樹脂の如き接着剤８２が塗布され、透光性パネル５０が取り付けられる。
【００５６】
接着剤８２を硬化させると、透光性パネル５０等のインナーシャーシ２１への取付けが完了する。その後、必要な電子部品１２の実装や、タッチパネル６０や表示部７０等の電気的な接続を行ない、バックシャーシ２４をインナーシャーシ２１へ嵌めることで、電子機器１０が作製される。
【００５７】
得られた電子機器１０は、タッチパネル６０の透明電極６１２，６２２や引出配線６１３，６２３の断線の可能性を可及的に低くすることができ、電子機器１０の信頼性を高めることができる。
【００５８】
また、タッチパネル６０は、透光性パネル５０の平坦面５１だけでなく曲部５２の裏面にも配置されるから、透光性パネル５０の平坦面５１だけでなく、曲部５２をユーザが触れても電子機器１０の操作を行なうことができ、電子機器１０の操作性や操作バリエーションを可及的に高めることができる。
【００５９】
＜実施例＞
タッチパネル６０について、異なる角度で曲げることにより、第２透明電極６２２の電気抵抗を測定した。
【００６０】
発明例は、上記したとおり、透明電極６２２を透明基板６２１の裏面側に配設したものであり（図８参照）、比較例は、透明電極を透明基板の表面側に配設したものである。なお、タッチパネル６０は、曲げ角度βが、３０°、４５°、６０°の３種類とし、該当する曲げ角度βでタッチパネル６０を曲げた状態で、テスターによって第２透明電極の電気抵抗値を測定することで、第２透明電極が導電状態を保持しているか（表１中丸印）、断線状態にあるか（表１中バツ印）を判定した。結果を表１に示す。
【００６１】
曲げ角度βとは、図１１に示すように、タッチパネル６０の曲げ領域Ｃの表面において、曲げ領域Ｃが始まる点Ｓの接線と、曲げ領域Ｃが終わる点Ｔの接線との交点をＯとしたときに、角ＳＯＴの補角をいう。たとえば、３０°の曲げ角度βを有するタッチパネル６０は、内角１５０°の角部を有する三角形状の治具に、タッチパネル６０を透明電極が治具側となるように押し当てることで作製できる。なお、曲げ角度βは、タッチパネル６０の断面をとって解析して算出することができる。
【００６２】
【表１】
0005856207.tif 000002
【００６３】
表１を参照すると、タッチパネル６０の曲げ角度βが、３０°の場合は、発明例、比較例共に導電状態を保持しているが、比較例については、曲げ角度βが、４５°以上となると、断線状態にあることがわかる。これは、タッチパネル６０を曲げたことにより、透明電極が伸び方向の力を受けて引っ張られ、クラックが入ったためである。一方、発明例については、透明電極６２２を透明基板６２１の裏面側に配設しているから、タッチパネル６０を曲げたときに、透明電極６２２には縮み方向の力が作用する結果、断線を防ぐことができた。
【００６４】
上記実施例より、タッチパネル６０の曲げ角度βが、４５°以下の場合に、本発明は特に有効であることがわかる。
【００６５】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００６６】
たとえば、引出配線６１３，６２３の傾斜配線部６１７，６２７は、図６及び図７に示す配線パターンに限定されるものではない。たとえば、図１０は、第２引出配線６２３の第２傾斜配線部６２７の異なる配線パターンを示している。第２傾斜配線部６２７は、図１０（ａ）に示すように、曲げ領域ＣにてＹ１方向に向けて傾斜したものや、図１０（ｂ）に示すように、曲げ領域Ｃ，Ｃ間で引出配線６２３をＹ１方向に向けてＹ軸と略平行に引き回した後、曲げ領域ＣにてＹ２方向に向けて傾斜させることもできる。もちろん、これら配線パターンに限定されるものではない。第１引出配線６１３の第１傾斜配線部６１７の配線パターンについても同様である。
【００６７】
さらに、上記実施形態では、傾斜配線部６１７，６２７は、引出配線６１３，６２３に設けているが、透明電極６１２，６２２に傾斜配線部を設けることもできる。また、曲げ領域Ｃと交差する引出配線および／または透明電極の一部のみに傾斜配線部を設けてもよい。
【００６８】
透光性パネル５０とタッチパネル６０の組立順序やその構成、インナーシャーシ２１への組立順序やその構成、電子機器１０の構成等は上記実施形態に限定されるものではない。
【符号の説明】
【００６９】
１０  電子機器
５０  透光性パネル
５２  曲部
６０  タッチパネル
６１  第１電極ユニット
６１１  第１透明基板
６１２  第１透明電極
６１３  第１引出配線
６１７  第１傾斜配線部
６２  第２電極ユニット
６２１  第２透明基板
６２２  第２透明電極
６２３  第２引出配線
６２７  第２傾斜配線部
７０  表示部
【図１】
0005856207.tif 000003
【図２】
0005856207.tif 000004
【図３】
0005856207.tif 000005
【図４】
0005856207.tif 000006
【図５】
0005856207.tif 000007
【図６】
0005856207.tif 000008
【図７】
0005856207.tif 000009
【図８】
0005856207.tif 000010
【図９】
0005856207.tif 000011
【図１０】
0005856207.tif 000012
【図１１】
0005856207.tif 000013